(57)【要約】【課題】ノズル３０の導水通路３１ａの径寸法が導水管本体１０の導水通路１２ａの径寸法より大きく設定されている導水管において、水等がノズル３０の先端開口部から吐出する際に、水等が周囲に飛び散ることがないようにする。【解決手段】ノズル３０の導水通路３１ａに、導水管本体１０の導水通路１２ａを通って流入する水等の流動を規制して導水通路３１ａの径外方へ飛散させる遮蔽部３３と、遮蔽部３３にて飛散した水等をノズル３０の導水通路３１ａの軸方向へ整流して吐出させる整流部３２を設けた。【選択図】    図３
2008223867.tif 000002
【特許請求の範囲】
【請求項１】
所定の径寸法の導水通路を有する導水管本体の先端部に、同導水管本体の導水通路より大きい径寸法の導水通路を有するノズルを備え、基端部にて水源に接続されて水源から供給される水または水溶液を、前記導水管本体の導水通路および前記ノズルの導水通路に導入して、同ノズルの先端開口部から吐出させる導水管であり、前記ノズルは、同ノズルの導水通路に、前記導水管本体の導水通路を通って流入する水または水溶液の流動を規制して同導水通路の径外方へ飛散させる遮蔽部と、同遮蔽部にて飛散した水または水溶液を前記ノズルの導水通路の軸方向へ整流して吐出させる整流部を備えていることを特徴とする導水管。
【請求項２】
請求項１に記載の導水管であり、前記ノズルは、同ノズルの導水管路を径方向に複数に区画する複数の区画壁部を一体に備えるととに、同区画壁部の上流側部位に前記ノズルの導水通路の略中央部に位置して前記導水管本体の導水通路を通って流入する水または水溶液と対向する遮蔽板部を一体に備え、同遮蔽板部が前記遮蔽部を構成するとともに、前記各区画壁部が前記整流部を構成していることを特徴とする導水管。
【請求項３】
請求項２に記載の導水管であり、前記各区画壁部は十字状に組合わされて前記ノズルの導水管路に位置していることを特徴とする導水管。
【発明の詳細な説明】
【技術分野】
【０００１】
本発明は、水源から供給される水または水溶液を誘導して吐出させる導水管に関する。
【背景技術】
【０００２】
導水管の一形式として、所定の径寸法の導水通路を有する導水管本体の先端部に、所定の径寸法の導水通路を有するノズルを備え、基端部にて水源に接続されて、水源から供給される水または水溶液を、導水管本体の導水通路およびノズルの導水通路に導入して、ノズルの先端開口部から吐出させる導水管ある。当該形式の導水管は、通常、ノズルの導水通路の径寸法は、導水管本体の導水通路の径寸法より大きく設定されている（特許文献１を参照）。
【特許文献１】特開２００５−２４０９５１号公報
【発明の開示】
【発明が解決しようとする課題】
【０００３】
ところで、当該形式の導水管においては、上記したように、ノズルの導水通路の径寸法が、導水管本体の導水通路の径寸法より大きく設定されていることから、水源から供給される水や水溶液（以下水等ということがある）は、導水管本体の比較的細い導水通路を経て、そのままの勢いで、ノズルが有する比較的太い導水通路に流入することになる。このため、水等が導水管本体の導水通路からノズルの導水通路に移行する際には、水勢が強い場合には、強い水勢に起因して水流が乱れ、水等がノズルから吐出する際には周囲に飛び散ることになる。従って、本発明の目的は、このような問題に対処することにある。
【課題を解決するための手段】
【０００４】
本発明は、導水管に関する。本発明が適用対象とする導水管は、所定の径寸法の導水通路を有する導水管本体の先端部に、同導水管本体の導水通路より大きい径寸法の導水通路を有するノズルを備え、基端部にて水源に接続されて水源から供給される水または水溶液を、前記導水管本体の導水通路および前記ノズルの導水通路に導入して、同ノズルの先端開口部から吐出させる導水管である。
【０００５】
しかして、本発明に係る導水管においては、前記ノズルは、同ノズルの導水通路に、前記導水管本体の導水通路を通って流入する水または水溶液の流動を規制して前記導水通路の径外方へ飛散させる遮蔽部と、同遮蔽部にて飛散した水または水溶液を前記ノズルの導水通路の軸方向へ整流して吐出させる整流部を備えていることを特徴とするものである。
【０００６】
本発明に係る導水管においては、前記ノズルを、同ノズルの導水通路を径方向に複数に区画する複数の区画壁部を一体に備えるととに、同区画壁部の上流側部位に前記ノズルの導水通路の略中央部に位置して前記導水管本体の導水通路を通って流入する水または水溶液と対向する遮蔽板部を一体に備える構成とすることができ、かかる構成により、前記遮蔽板部が前記遮蔽部を構成し、かつ、前記各区画壁部が前記整流部を構成するようにすることができる。この場合、前記各区画壁部を十字状態に組合わせ、前記ノズルの導水通路に位置させるようにすることが好ましい。
【発明の効果】
【０００７】
本発明に係る導水管においては、導水管本体の導水通路に比較して径寸法が大きいノズルの導水通路に、導水管本体の導水通路を通って流入する水等の流動を規制して導水通路の径外方へ飛散させる遮蔽部と、同遮蔽部にて飛散した水等をノズルの導水通路の軸方向へ整流して吐出させる整流部を備える構成としていることから、ノズルの先端開口部から吐出する水等は、その吐出の前においては、ノズルの導水通路での水流は水勢が抑制されて整流状態となり、水等がノズルの先端開口部から吐出する際に、周囲への飛散は大きく抑制されることになる。
【０００８】
本発明に係る導水管において、ノズルの導水通路に一体的に設けた、ノズルの導水通路を径方向に複数に区画する複数の区画壁部にて整流部を構成し、各区画壁部の上流側部位に設けた遮蔽板部にて遮蔽部を構成すれば、また、この場合、各区画壁部を十字状態に組合わせた状態で整流部を構成すれば、ノズルの導水通路内での遮蔽部および整流部の機能を一層効果的に発揮させることができる。
【発明を実施するための最良の形態】
【０００９】
本発明は、水源から供給される水または水溶液を導入して吐出させる導水管に関する。図１には、本発明の一実施形態に係る導水管を示している。当該導水管は、電解水生成装置で生成される電解生成水を導出すべく使用されるもので、電解水生成装置が有する電解生成水の給水口部、または、電解生成水の貯留タンクの給水口部に接続して使用されるものである。
【００１０】
当該導水管は、図１および図２に示すように、管本体１０、管本体１０の先端部に嵌合して取付けられている先端側継手管２０ａ、管本体１０の基端部に嵌合して取付けられている基端側継手管２０ｂ、および、先端側管継手２０ａに連結されているノズル３０を備えている。
【００１１】
管本体１０は、蛇腹状のフレキシブルチューブ１１、フレキシブルチューブ１１を貫通するインナチューブ１２、および、フレキシブルチューブ１１の外周を覆蓋する薄肉状のアウタチューブ１３にて構成されている。管本体１０を構成する各チューブ１１〜１３は、いずれも、合成樹脂からなる可撓性のチューブであって、管本体１０は、フレキシブルな管本体である。当該管本体１０の各端部に嵌合している先端側管継手２０ａおよび基端側管継手２０ｂは、実質的には同一構成のものである。従って、管継手の構成および管本体１０の各端部に対する取付構造については、先端側管継手２０ａを例として説明する。
【００１２】
先端側管継手２０ａ（以下単に管継手２０ａということがある）は、円筒体をその中心軸に沿って２分割されてなる互いに類似する形状の一対の半円筒体２１，２２と、互いに接合された状態の半円筒体２１，２２の外周に嵌合するジョイントカバー２３にて構成されている。当該管継手２０ａにおいては、半円筒体２１，２２は管本体１０の先端部の外周に外側から嵌合（外嵌）して円筒体を形成していて、当該円筒体にジョイントカバー２３を外嵌することにより、管本体１０の先端部に取付けられている。当該管継手２０ａは、後述する本発明の主要部をなすノズル３０を、管本体１０の先端部に接合すべく機能する。ノズル３０は、半円筒体２１，２２の内孔周面に形成されているねじ部に螺着することにより、管本体１０のインナチューブ１２の先端に挿着してある筒状の連結管１４を介して、インナチューブ１２に接続されて連結されている。
【００１３】
ノズル３０は、本発明の主要部をなすもので、図２および図３に示すように、ノズル３０の導水通路内に、同導水通路に流入する水流に対する遮蔽部および整流部を備えていることを特徴とするものである。当該ノズル３０を構成するノズル本体３１は円筒体であって、内孔は導水通路３１ａに形成されている。導水通路３１ａは、管本体１０の導水通路１２ａであるインナチューブ１２の内孔より大径であって、ノズル本体３１の導水通路３１ａの径寸法は、管本体１０の導水通路１２ａの径寸法に比較して、大きく設定されている。
【００１４】
当該ノズル３０は、それ自体、合成樹脂にて成形されているもので、ノズル本体３１の導水通路３１ａの中間部には、十字状態に交差する４枚の区画壁部３２がノズル本体３１と一体に形成されている。また、各区画壁部３２が互いに交わる位置の上流側部位には、円板状の遮蔽板部３３が各区画壁部３２と一体に形成されている。遮蔽板部３３は、管本体１０のインナチューブ１２の内孔が形成する導水通路１２ａからノズル本体３１の導水通路３１ａに流入する水流に対向して位置し、また、各区画壁部３２は遮蔽板部３３の下流側にて導水通路３１ａを径方向に４分割してなる各整流路部Ｐを形成している。
【００１５】
当該ノズル３０においては、その導水通路３１ａに備えている遮蔽板部３３は、管本体１０のインナチューブ１２の内孔が形成する導水通路１２ａからノズル３０の導水通路３１ａに流入する水流に対向しているため、ノズル３０の導水通路３１ａに、図３の矢印で示すように流入する水流の流動を規制して水勢を弱めるとともに、弱めた水流を導水通路３１ａの径外方へ飛散させる。このように水勢を弱めらて飛散する水流は、各区画壁部３２が形成する各整流路部Ｐを流動する間に整流されて、図３の矢印に示すように流出し、ノズル３０の先端開口部から吐出する際には、周囲に飛散することなく、整流された流れとして円滑に吐出することになる。
【図面の簡単な説明】
【００１６】
【図１】本発明の一実施形態に係る導水管を示す側面図である。
【図２】同導水管の一部を縦断した側面図である。
【図３】同導水管を構成するノズルの一部を切欠いた斜視図である。
【符号の説明】
【００１７】
１０…管本体、１１…フレキシブルチューブ、１２…インナチューブ、１２ａ…導水通路、１３…アウタチューブ、１４…連結管、２０ａ，２０ｂ…継手管、２１，２２…半円筒体、２３…ジョイントカバー、３０…ノズル、３１…ノズル本体、３１ａ…導水通路、３２…区画壁部、３３…遮蔽板部、Ｐ…整流路部。
【図１】
2008223867.tif 000003
【図２】
2008223867.tif 000004
【図３】
2008223867.tif 000005